(57)【要約】      （修正有）【課題】親システムを経由しない子システムへのログインを可能とする自動生成パスワード及び自動認証システムを提供する。【解決手段】各子システムに適用するパスワードのルールを予め定義したパスワードの最小文字数、最大文字数、許容する文字種別及び必須文字種別が記述されているパスワード変換定義情報ファイル１４、ユーザが親システムを介して子システムに最初にアクセスする際に、親システムに対して入力したパスワードをパスワード変換定義情報ファイル１４の情報に基づいて遷移先システムが許容するパスワードに変換し、クライアントＰＣ１１と遷移先のシステムに変換後パスワードを出力するパスワード変換システム１０、親システムを介して最初のアクセスの場合に、入力した変換後パスワードを子システム利用データベース２１に登録する子システムログイン認証処理部１９を備える。【選択図】図２
2016151942.tif 000002
【特許請求の範囲】
【請求項１】
ネットワークに接続されたWebサーバに実装された任意の親システムと１つ以上の子システムからなるWebアプリケーションシステムへのログインを簡略化する認証システムであって、
各子システムに適用するパスワードのルールを予め定義したパスワードの最小文字数、最大文字数、許容する文字種別、及び必須文字種別が記述されているパスワード変換定義情報ファイルと、
ユーザが親システムを介して、子システムに最初にアクセスする際に、親システムに対して入力したパスワードを、前記パスワード変換定義情報ファイルの情報に基づいて、遷移先システムが許容するパスワードに変換し、クライアントＰＣと遷移先のシステムに変換後パスワードを出力するパスワード変換システムと、
親システムを介して最初のアクセスの場合に、入力した変換後パスワードをデータベースに登録する子システムログイン認証処理部とを有することを特徴とする認証システム。
【請求項２】
前記パスワード変換システムは、入力されたパスワードの文字数が前記パスワード変換定義情報ファイルに記述されたパスワード最小文字数より小さい場合は、パスワードの語尾に最小文字数に達するまで文字「１」を追加することを特徴とする請求項１に記載の認証システム。
【請求項３】
前記パスワード変換システムは、入力された、または一部が変換されてメモリに格納されたパスワードの文字数が前記パスワード変換定義情報ファイルに記述されたパスワード最大文字数より大きい場合は、パスワードの語尾から文字数が最大文字数になるまで文字を削除することを特徴とする請求項１に記載の認証システム。
【請求項４】
前記パスワード変換システムは、入力された、または一部が変換されてメモリに格納されたパスワードの文字の中に、前記パスワード変換定義情報ファイルに記述されたパスワード許容文字種別のフラグが「０」の文字種別(許容しない)の文字が存在する場合は、変換候補としてメモリに保持しておいた許容する文字種別の文字でパスワードの該当文字を置き換えることを特徴とする請求項１に記載の認証システム。
【請求項５】
前記パスワード変換システムは、入力された、または一部が変換されてメモリに格納されたパスワードの全ての文字に対して、前記パスワード変換定義情報ファイルに記述されたパスワード必須文字種別のフラグが１である文字種別の文字の個数を数えて、１個も存在しない必須文字種別がある場合には、複数の文字が存在する必須文字種別のいずれかの文字を、１個も存在しない必須文字種別の文字で置き換えることを特徴とする請求項１に記載の認証システム。
【請求項６】
前記パスワード変換システムは、変換が完了したパスワードをクライアントＰＣに表示するとともに、遷移先の子システムのログイン認証処理部にログインＩＤと変換後パスワードを送信して、自動で認証させることを特徴とする請求項５に記載の認証システム。
【発明の詳細な説明】
【技術分野】
【０００１】
本発明はWebシステムにおけるシングルサインオン時のパスワード自動変換システムを備えた認証システムに関する。
【背景技術】
【０００２】
インターネットの発展と普及に伴い、コンピュータセキュリティは非常に重要な課題になっている。インターネットの通信は暗号化されておらず、コンピュータが外部と接続されたことによって悪意のある人間が故意にコンピュータを破壊したり、データを改竄したり、迷惑メールの大量送信、架空請求詐欺のメールによって金銭を騙し取るなどが可能になってしまった。
【０００３】
一般にセキュリティと利便性は相反する性質のものである。現在のコンピュータではおもにユーザIDとパスワードによってユーザを認証しているが、セキュリティを確保するために利用者が頻繁にパスワードを入力するようではシステムが使いづらくなってしまう。かといって、パスワードを要求しなければ情報が他人に悪用される可能性がある。利便性を減らさずにセキュリティを高める技術を開発することが求められている。
【０００４】
本技術分野の背景技術として、特開２００４−７８５３９号公報（特許文献１）がある。この公報には、「ＡＴＡ規格に準拠した、パスワードの設定機能を有するＰＣ等のハードディスクに、システムＢＩＯＳにより、ユーザが入力するパスワードを設定して、ハードディスクをロックするハードディスクのプライバシー保護システムに於いて、システムＢＩＯＳにより、ハードディスクに設定するパスワードを自動生成するパスワード自動生成モジュールと、自動生成したパスワードをハードディスクに設定し、不揮発性ＲＡＭに登録してハードディスクを自動的にロックするパスワード設定モジュールと、ハードディスクへのアクセスをハードディスクに設定したパスワードの認証により自動的にアンロックするロック解除モジュールとを有する。」と記載されている。
【先行技術文献】
【特許文献】
【０００５】
【特許文献１】特開２００４−７８５３９号公報
【発明の概要】
【発明が解決しようとする課題】
【０００６】
特許文献１に開示されるパスワード生成認証システムでは、使用されているＨＤＤのパスワードは外に現れないため、誰も（正規ユーザも）知ることができないようにしてセキュリティを高めているが、上位システム（以下、親システム）以外の装置から下位システム（以下、子システム）へアクセスする場合の想定がされていない。そのため、自動生成したパスワードを取得する手段、および子システムへの直接認証が不可能となっている。
【０００７】
そこで本発明では、自動生成したパスワードを利用者のＰＣ、および子システム利用データベースへ出力し、利用者が主導で自動生成したパスワードを用いて、親システムを経由しない子システムへのログインも可能とする、自動生成パスワードの提供と自動認証システムを提供することを目的とする。
【課題を解決するための手段】
【０００８】
上記課題を解決するために本発明では、ネットワークに接続されたWebサーバに実装された任意の親システムと１つ以上の子システムからなるWebアプリケーションシステムへのログインを簡略化する認証システムを、各子システムに適用するパスワードのルールを予め定義したパスワードの最小文字数、最大文字数、許容する文字種別、及び必須文字種別が記述されているパスワード変換定義情報ファイルと、ユーザが親システムを介して、子システムに最初にアクセスする際に、親システムに対して入力したパスワードを、前記パスワード変換定義情報ファイルの情報に基づいて、遷移先システムが許容するパスワードに変換し、クライアントＰＣと遷移先のシステムに変換後パスワードを出力するパスワード変換システムと、親システムを介して最初のアクセスの場合に、入力した変換後パスワードをデータベースに登録する子システムログイン認証処理部とを備えて構成した。
【０００９】
また、上記課題を解決するために本発明では、前記認証システムにおいて、前記パスワード変換システムは、入力されたパスワードの文字数が前記パスワード変換定義情報ファイルに記述されたパスワード最小文字数より小さい場合は、パスワードの語尾に最小文字数に達するまで文字「１」を追加するように構成した。
【００１０】
また、上記課題を解決するために本発明では、前記認証システムにおいて、前記パスワード変換システムは、入力された、または一部が変換されてメモリに格納されたパスワードの文字の中に、前記パスワード変換定義情報ファイルに記述されたパスワード許容文字種別のフラグが「０」の文字種別(許容しない)の文字が存在する場合は、変換候補としてメモリに保持しておいた許容する文字種別の文字でパスワードの該当文字を置き換えるように構成した。
【００１１】
また、上記課題を解決するために本発明では、前記認証システムにおいて、前記パスワード変換システムは、入力された、または一部が変換されてメモリに格納されたパスワードの全ての文字に対して、前記パスワード変換定義情報ファイルに記述されたパスワード必須文字種別のフラグが１である文字種別の文字の個数を数えて、１個も存在しない必須文字種別がある場合には、複数の文字が存在する必須文字種別のいずれかの文字を、１個も存在しない必須文字種別の文字で置き換えるように構成した。
【発明の効果】
【００１２】
本発明によれば、本来パスワードを入力する装置を経由せずに、パスワード自動変換の対象の装置にアクセスすることができる。
上記した以外の課題、構成及び効果は、以下の実施形態の説明により明らかにされる。
【図面の簡単な説明】
【００１３】
【図１】本発明を複数のWebアプリケーションシステムに適用した場合のハードウェア構成図例である。
【図２】本発明を複数のWebアプリケーションシステムに適用した場合の親システムから子システムへのログインの処理の流れを示す概要図である。
【図３】パスワード変換システムの処理全体を示すフローチャートである。
【図４】パスワード変換システム初期設定部の初期設定処理のフローチャートである。
【図５】パスワード変換システムパスワード変換処理部の最小文字数変換処理のフローチャートである。
【図６】パスワード変換システムパスワード変換処理部の最大文字数変換処理のフローチャートである。
【図７】パスワード変換システムパスワード変換処理部の許容文字種別変換処理のフローチャートである。
【図８】パスワード変換システムパスワード変換処理部の必須文字種別変換処理のフローチャート（前半）である。
【図９】パスワード変換システムパスワード変換処理部の必須文字種別変換処理のフローチャート（後半）である。
【図１０】パスワード変換システムパスワード出力処理部の変換後パスワード出力処理のフローチャートである。
【図１１】本発明を、一度親システム経由で子システムにログインした後に、親システムを経由しないで子システムにログインするフローチャートである。
【図１２】パスワード変換定義情報ファイルのフォーマット、および格納されるデータ例を示す図である。
【発明を実施するための形態】
【００１４】
以下、実施例について図面を用いて説明する。
【実施例１】
【００１５】
図１は、本発明を複数のWebアプリケーションシステムに適用した場合のハードウェア構成図である。ネットワーク２５を介して、Webサーバ１２、データベースサーバ１３、及び複数のクライアントＰＣ１１が接続されている。Webサーバ１２上では複数のWebアプリケーションシステムが起動しているものとする。
【００１６】
図２は、本発明を複数のWebアプリケーションシステムに適用した場合の親システムから子システムへのログインの処理の流れを示す概要図である。
ステップＳ００１において、利用者がクライアントＰＣ１１のログイン画面３１にてログインＩＤとパスワードを入力して、Webサーバ１２上の親システムのログイン認証処理部１５に送信する。
ステップＳ００２において、親システムのログイン認証処理部１５が自分で所持しているデータベース２０にアクセスし、ログインＩＤとパスワードが一致するか確認し成否を返却する。データベース２０，２１は、Webサーバ１２上、またはデータベースサーバ上１３などいずれに存在してもよい。
【００１７】
ステップＳ００３において、ログインに成功した場合に、親システムのトップ画面３２をクライアントＰＣ１１で表示させる。
ステップＳ００４において、利用者はクライアントＰＣ１１上の親システムトップ画面３２にて、利用する子システムの「システム名称」を選択・入力して、Webサーバ１２上のパスワード変換システム初期設定部１６に送信する。
【００１８】
ステップＳ００５において、パスワード変換システムパスワード変換処理部１７が、登録されている各システムに許容されるパスワードのルールをあらかじめ記述したパスワード変換定義情報ファイル１４(詳細例を後述する)を、例えばWebサーバ１２上のデータベースから取得して、パスワードを変換する。（詳細なロジックはステップＳ１０１からステップＳ７０４で記述する）
ステップＳ００６において、パスワード変換システムパスワード出力処理部１８がクライアントＰＣ１１上の変換後パスワード表示画面３３に変換後パスワードを表示させる。
【００１９】
ステップＳ００７において、パスワード変換システムパスワード出力処理部１８が子システムのログイン認証処理部１９にログインＩＤと変換後パスワードを送信する。
ステップＳ００８において、子システムのログイン認証処理部１９が自分で所持しているデータベース２１にアクセスして、ログインＩＤと変換後パスワードが一致するか確認する。もし、親システムを経由して、当該利用者が初めて子システムをログインした場合には、データベース２１に一致するログインＩＤと変換後パスワードは存在しないので、子システムログイン認証処理部１９がデータベース２１へログインＩＤと変換後パスワードを登録する。
ステップＳ００９において、初めてのログインの場合には登録後、それ以外のログインの場合にはログインに成功した場合は、子システム１９が子システムのトップ画面３４をクライアントＰＣ１１で表示させる。
【００２０】
図１２は、パスワード変換システム１０がパスワードを変換する際に参照するパスワード変換定義情報ファイル１４のフォーマットおよび記述例である。ファイルはCSVファイルの形式である。パスワード変換定義情報ファイル１４には、ログインする対象のそれぞれのシステムに使用されるパスワードの記載に関して、各システムが許容もしくは制限するパスワードのルールを記述する。パスワードのルールをプログラム内部に記述せずに、データベースに登録されたファイルに記述することで、システムのパスワードのルールの変更やシステムの追加や削除にも、プログラムを変更せずに対応することができる。
【００２１】
「システム名称」欄８０１には、ログイン対象のシステム名を区別できる一意の名称を記述する。
「ログイン認証処理部ＵＲＬ」欄８０２には、システムのログインボタンを押下した際に、ログインＩＤとパスワードが送信されるＵＲＬを記述する。
「最小文字数」欄８０３には、システムが許容するパスワードの最小文字数を記述する。
「最大文字数」欄８０４には、システムが許容するパスワードの最大文字数を記述する。
「許容文字種別」欄８０５には、右記する５種の文字種別（全角文字、半角大英字、半角小英字、半角記号、数字）のそれぞれに対して、各システムのパスワードが許容するものに１、許容しない物に０のフラグを立てて並べた、５桁の文字列を記述する。
「必須文字種別」欄８０６には、右記する５種の文字種別（全角文字、半角大英字、半角小英字、半角記号、数字）のそれぞれに対して、各システムのパスワードの文字が必須とするものに１、必須としない物に０のフラグを立てて並べた、５桁の文字列を記述する。
【００２２】
図３は、パスワード変換システム１０の処理全体を示すフローチャートである。パスワード変換システム１０は、図２に示すように、パスワード変換システム初期設定部１６と、パスワード変換システムパスワード変換処理部１７と、パスワード変換システムパスワード出力処理部１８から構成される。
図３に示すパスワード変換システム１０の処理フローは、初期設定処理Ｓ１００、最小文字数変換処理Ｓ２００、最大文字数変換処理Ｓ３００、許容文字種別変換処理Ｓ４００、必須文字種別変換処理Ｓ５００、変換後パスワード出力処理Ｓ６００により構成される。
【００２３】
次に、図４のフローチャートを参照してパスワード変換システム初期設定部１６の初期設定処理Ｓ１００を説明する。
ステップＳ１０１において、パスワード変換システム初期設定部１６がWebサーバ１２のセッションから「ログインＩＤ」と「パスワード」と「システム名称」を取得して、メモリに格納する。
ステップＳ１０２において、パスワード変換システム初期設定部１６がWebサーバ１２のディスクからパスワード変換定義情報ファイル１４を取得する。
ステップＳ１０３において、セッションから取得した「システム名称」がパスワード変換定義情報ファイル１４の「システム名称」と一致するパスワード変換定義情報ファイル１４の該当行のデータレコードをメモリに格納する。
【００２４】
次に図５のフローチャートを参照してパスワード変換システムパスワード変換処理部１７の最小文字数変換処理Ｓ２００を説明する。
ステップＳ２０１において、セッションから取得した「パスワード」の文字数と、メモリに格納したパスワード変換定義情報ファイル１４の「最小文字数」を比較する。
ステップＳ２０２において、「パスワード」の文字数が最小文字数より小さい場合は、「パスワード」の語尾に最小文字数まで文字「１」を追加し、変換後の「パスワード」をメモリに格納する
次に図６のフローチャートを参照してパスワード変換システムパスワード変換処理部１７の最大文字数変換処理Ｓ３００を説明する。
ステップＳ３０１において、メモリに保持されている「パスワード」の文字数とパスワード変換定義情報ファイル１４の最大文字数を比較する。
ステップＳ３０２において、「パスワード」の文字数がパスワード変換定義情報ファイル１４の最大文字数より大きい場合は、「パスワード」の語尾からパスワードの文字数が最大文字数に収まるように文字を削除し、変換後の「パスワード」をメモリに格納する。
【００２５】
次に図７のフローチャートを参照してパスワード変換システムパスワード変換処理部１７の許容文字種別変換処理Ｓ４００を説明する。
ステップＳ４０１において、「パスワード」の全ての文字の先頭文字より１文字ずつに対し、ステップＳ４０８までの処理を繰り返し行う。
ステップＳ４０２において、右記する５種の文字種別（全角文字、半角大英字、半角章英字、半角記号、数字）の各文字種別に対し、ステップＳ４０７までの処理を繰り返し行う。
【００２６】
ステップＳ４０３において、Ｓ４０２で選択したチェック対象文字種別に対応する、パスワード定義ファイル１４の「許容文字種別」欄８０５に記述してある該当文字種別のフラグが「１」となっているか確認する。
ステップＳ４０４において、許容文字種別のフラグが「１」になっている場合は、変換候補として該当文字種別の文字(所定の文字を用意してある)をメモリに保持しておく。
ステップＳ４０５において、チェック対象の文字がチェック対象文字種別の文字であるか否かを、正規表現を用いて確認する。
ステップＳ４０６において、チェック対象の文字がチェック対象文字種別であった場合は、Ｓ４０４でメモリに保持しておいた変換候補の文字を「パスワード」のチェック対象文字と置き換える。（ただし、初回のみ数値に置き換える）
次に図８、図９のフローチャートを参照してパスワード変換システムパスワード変換処理部１７の必須文字種別変換処理Ｓ５００を説明する。
ステップＳ５０１において、パスワード変換定義情報ファイル１４の「必須文字種別」欄８０６に記載してある必須文字種別の各フラグが全て「０」になっているかチェックする。もし、ＹＥＳならば、必須文字種別変換処理Ｓ５００を終了する。
ステップＳ５０２において、右記する５種の文字種別（全角文字、半角大英字、半角小英字、半角記号、数字）の各文字種別に対し、ステップＳ５１０までの処理を繰り返し行う。
【００２７】
ステップＳ５０３において、Ｓ５０２で選択したチェック対象文字種別に対応する、パスワード定義ファイル１４の「必須文字種別」欄８０６に記述してある必須文字種別のフラグが「１」になっているか確認する。
ステップＳ５０４において、「パスワード」の全ての文字の先頭文字より１文字ずつに対し、ステップＳ５０９までの処理を繰り返し行う。
ステップＳ５０５において、チェック対象の「パスワード」の文字がチェック対象の必須文字種別の文字であるか正規表現を用いて確認する。
【００２８】
ステップＳ５０６において、チェック対象文字がチェック対象文字種別であった場合、メモリに保持してある文字種別配列変数にチェック対象文字種別の必須フラグを１つ増加する。
ステップＳ５０７において、メモリに保持してある文字種別配列変数のチェック対象文字種別の必須フラグが２以上であるかチェックする。
ステップＳ５０８において、チェック対象文字種別の必須フラグが２以上である場合、チェック対象の文字の位置を変換可能リストに記録する。
【００２９】
図８のフローチャートに続けて、図９のフローチャートにおいて説明する。
ステップＳ５１１において、右記する５種の文字種別（全角文字、半角大英字、半角小英字、半角記号、数字）の各文字種別に対し、ステップＳ５１６までの処理を繰り返し行う。
ステップＳ５１２において、Ｓ５１１で選択したチェック対象文字種別に対応する、パスワード変換定義情報ファイル１４の「必須文字種別」欄８０６に記述してある必須文字種別のフラグが「１」になっているか確認する。
【００３０】
ステップＳ５１３において、メモリに保持してある文字種別配列変数に記録しているチェック対象文字種別の「必須フラグ」が「０」であるか（「パスワード」の文字の中にチェック対象文字種別の必須文字種別の文字が１つも無い）を確認する。
ステップＳ５１４において、Ｓ５０８で記録しておいたメモリにある変換可能リストから変換可能な「パスワード」の文字の位置を取り出して、その位置の文字を予め用意しておいたチェック対象文字種別の文字に置き換える。
ステップＳ５１５において、Ｓ５１４で「パスワード」の文字を置き換えるのに利用した文字の位置データを変換可能リストから削除する。
【００３１】
次に、図１０のフローチャートを参照してパスワード変換システムパスワード出力処理部１８の変換後パスワード出力処理Ｓ６００を説明する。
ステップＳ６０１において、変換後のパスワードをクライアントＰＣ１１の変換後パスワード表示画面３３で表示させる。
ステップＳ６０２において、パスワード変換定義情報ファイル１４に記述してある子システムのログイン認証処理部ＵＲＬに対し、「ログインＩＤ」と「変換後パスワード」を送信し、ログイン処理を実行させる。
【００３２】
子システムのログイン認証処理部１９は、自分で所持しているデータベース２１にアクセスして、ログインＩＤと変換後パスワードが一致するか確認する。もし、親システムを経由して、当該利用者が初めて子システムをログインした場合には、データベース２１に一致するログインＩＤと変換後パスワードは存在しないので、子システムログイン認証処理部１９がデータベース２１へログインＩＤと変換後パスワードを登録する。
その後、子システムのログイン認証処理部１９は、クライアントＰＣ１１上に子システムトップ画面３４を表示する。
【００３３】
ステップＳ２０１からステップＳ５１６におけるパスワード変換システム１０の処理では、子システムでは許容しない「パスワード」の文字のみを許容する文字に置き換え、もともと許容していた文字は変換をしない。これにより変換後の「パスワード」は子システムのパスワードルールを対象としたパスワード変換処理を実行しても一切の変換はされないものとなり、子システム単独でもログイン可能となる。
【００３４】
図１１は、一度親システム経由で子システムにログインした後に、親システムを経由しないで子システムにログインするフローチャートである。前提条件として、図２に示す親システムから子システムへのログインを一度実行し、変換後パスワードを取得しておくことが必要である。
ステップＳ７０１において、クライアントＰＣから子システムのログイン画面３５にて「ログインＩＤ」と「変換後パスワード」を入力し、ログイン情報をパスワード変換システム１０に送信する。
【００３５】
ステップＳ７０２において、パスワード変換システム初期設定部１６が、パスワード変換定義情報ファイル１４から子システムのパスワード変換定義情報を取得する。
ステップＳ７０３において、図５から図９までのフローチャートで示したパスワード変換システムパスワード変換処理部１７の処理を実行する。（実際には入力された「変換後パスワード」は子システムのパスワード定義に則っているため、パスワードが変更されることはない）
ステップＳ７０４において、パスワード変換システムパスワード出力処理部１８が変換後パスワードをクライアントＰＣ１１の変換後パスワード表示画面３３上に表示する。
【００３６】
ステップＳ７０５において、子システムのログイン認証処理部１９にログインＩＤと入力された変換後パスワードを送信する。
ステップＳ７０６において、子システムのログイン認証処理部１９が自分で所持しているデータベース２１にアクセスし、ログインＩＤとパスワードが一致するか確認し成否を返却する。
ステップＳ７０７において、ログインに成功した場合は子システムのトップ画面３４をクライアントＰＣ１１で表示させる。
【００３７】
なお、本発明は上記した実施例に限定されるものではなく、さまざまな変形例が含まれる。例えば、上記した実施例は本発明を分かりやすく説明するために詳細したものであり、必ずしも説明した全ての構成を備えるものに限定されるものではない。また、ある実施例の構成に他の実施例の構成を加えることも可能である。また、各実施例の構成の一部について、他の構成の追加・削除・置換をすることが可能である。また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、SSD（Solid State Drive）等の記録装置、または、ICカード、SDカード、DVD等の記録媒体に置くことができる。
【符号の説明】
【００３８】
１０  パスワード変換システム
１１  クライアントＰＣ
１２  Webサーバ
１３  データベースサーバ
１４  パスワード変換定義情報ファイル
１５  親システムのログイン認証処理部
１６  パスワード変換システム初期設定部
１７  パスワード変換システムパスワード変換処理部
１８  パスワード変換システムパスワード出力処理部
１９  子システムのログイン認証処理部
２０  親システムのログイン認証用データベース
２１  子システムのログイン認証用データベース
２５  ネットワーク
３１  クライアントＰＣ上の親システムログイン画面
３２  親システムのトップ画面
３３  変換後パスワード表示画面
３４  子システムのトップ画面
３５  子システムのログイン画面
８０１  「システム名称」欄
８０２  「ログイン認証処理部ＵＲＬ」欄
８０３  「最小文字数」欄
８０４  「最大文字数」欄
８０５  「許容文字種別」欄
８０６  「必須文字種別」欄８０６
【図１】
2016151942.tif 000003
【図２】
2016151942.tif 000004
【図３】
2016151942.tif 000005
【図４】
2016151942.tif 000006
【図５】
2016151942.tif 000007
【図６】
2016151942.tif 000008
【図７】
2016151942.tif 000009
【図８】
2016151942.tif 000010
【図９】
2016151942.tif 000011
【図１０】
2016151942.tif 000012
【図１１】
2016151942.tif 000013
【図１２】
2016151942.tif 000014